(57)【特許請求の範囲】
【請求項１】
複数の折り畳まれたティシュペーパーを積み重ねた束が、上面に開封用のミシン目を有するフィルムによって包装されているポケットティシューであって、
前記折り畳まれたティシュペーパーが、方形のティシュペーパーをＭＤ方向に沿う方向が折り返し縁となるようにして二つ折りした後、ＣＤ方向に沿う方向が折り畳み縁となるようにジグザグ折りされ、かつＣＤ方向に沿う縁が折り畳み縁間の中央位置にないものであり、
前記束が、折り畳まれたティシュペーパーをポップアップ式ではなく積み重ねたものであり、
その折り畳まれたティシュペーパーの前記ＣＤ方向に沿う縁が、前記フィルムのミシン目から離れた位置で、ミシン目に沿う方向となるようにして包装されている、ことを特徴とするポケットティシュー。
【請求項２】
上面側に位置するＣＤ方向に沿う縁と、底面側に位置するＣＤ方向に沿う縁とが、断面位置で一致しており、かつ、ＣＤ方向に沿う折り畳み縁から上面側に位置するＣＤ方向に沿う縁までの折り畳み縁部上にミシン目が位置していない、請求項１記載のポケットティシュー。
【請求項３】
ティシュペーパーのＭＤ方向の引張強度が１２０ｃＮ／２５ｍｍ以上である請求項１又は２記載のポケットティシュー。
【請求項４】
ティシュペーパーの幅で連続する連続シートを搬送しつつ、折り板によって、前記連続シートを搬送方向に沿って半分に折り返す折り返し工程と、
半分に折り返された連続シートを、ＣＤ方向に沿って裁断するカット工程と、
一対の折りロールを有する折り畳み装置において、搬送方向の先端側からＣＤ方向に沿う方向が折り畳み縁となるようにジグザグ折りする折り畳み工程と、
カット工程と折り畳み工程とを経て形成した折り畳まれたティシュペーパーをポップアップ式ではなく積み重ねた束を、ミシン目を有するフィルムによって、ＣＤ方向に沿う折り畳み縁が、そのミシン目から離れた位置で、ミシン目に沿う方向となるようにして包装する包装工程と、を有する、ことを特徴とするポケットティシューの製造方法。
【請求項５】
前記カット工程が、折り畳み工程と同時又はその直後に行なわれ、切り離し縁が、折り畳み縁と重ならない位置で、かつ、折り畳み縁間の中間位置とならない位置で、ジグザグ折りされた部分を連続シートから切り離して、折り畳まれたティシュペーパーとする請求項４記載のポケットティシューの製造方法。
【請求項６】
ティシュペーパーの幅の複数倍幅以上の原反ロールから幅広の連続するシートを繰り出す繰り出し工程と、
幅広の連続シートをＣＤ方向に所定間隔でスリットして、複数のティシュペーパーの幅の連続シートを形成するスリット工程と、を有し、
スリットされて形成された各々の連続シートをそれぞれ折り板に供給して、ＣＤ方向に半分に折り返された連続シートを複数形成する請求項４又は５記載のポケットティシューの製造方法。
【請求項７】
連続方向に沿って半分に折り返された複数の連続シートを、同一の折りロールによって折り畳む、請求項６記載のポケットティシューの製造方法。
【発明の詳細な説明】
【技術分野】
【０００１】
本発明は、折り畳まれたティシュペーパーを複数重ねた束がフィルムによって包装されたポケットティシューに関する。
【背景技術】
【０００２】
ポケットティシュー１０１は、図１０に示すように、コンパクトに折り畳まれたティシュペーパー１１０Ａを１０〜２０組程度、積み重ねてなる束１１１が、上面に開封用のミシン目１２２が形成されたフィルム１２０によって包装されたものであり、携帯用としてよく利用されている。
【０００３】
このポケットティシュー１０１の一般的な開封態様は、親指等を上面側のミシン目１２２の近傍位置（図１０中符号Ｘの位置）に押し当てる（図中符号Ａ）とともに、ミシン目が延在する方向と直交する方向に引く（図中符号Ｂ）ようにして、フィルム１２０をスライドさせてミシン目１２２を裂開させるようにする。
【０００４】
従来のポケットティシュー１０１は、図１１（Ａ）から（Ｅ）に至るようにして折られている。つまり、ティシュペーパー１１０Ａの折り畳み態様が、ティシュペーパー１１０をＭＤ方向に沿う方向が折り返し縁１１２ＡとなるようにＺ折りし、さらに、上下の折り返し縁部１１２をＭＤ方向が折り返し縁１１２Ｂとなるように各々半分に谷折りに折り返して細長シート状にし、さらにこれをＣＤ方向が折り畳み縁１１３となるように二つ折りした態様となっている。また、フィルム１２０での包装態様が、図１０に示すように、そのように折り畳まれたティシュペーパー１１０Ａの最上面に位置するＭＤ方向に沿う折り返し縁１１２Ｂが、開封用のミシン目１２２近傍に位置し、さらに、ＭＤ方向に沿う折り返し縁１１２Ｂがミシン目１２２に沿う方向となるようにして包装されており、ミシン目１２２を裂開してスリット状の開封口を形成した後、その最上面に位置するＭＤ方向に沿う折り返し縁１１２Ｂの近傍が摘みやすくなっており、フィルム１２０からティシュペーパー１０が引き出しやすくなっている。
【０００５】
しかしながら、ティシュペーパーは、クレープ紙からなるためクレープの山谷が連続するＭＤ方向の引張強度に比して、ＣＤ方向の引張強度が非常に低いという性質を有しており、従来のポケットティシュー１０１は、図１２に断面構造を示すように、その折り畳みと包装の態様からして、フィルム１２０内におけるティシュペーパー１１０は、ミシン目１２２に直交する方向がＣＤ方向となっており、開封時にフィルム１２０ともにティシュペーパー１１０が引張強度の低いＣＤ方向に引っ張られて、裂けてしまうことが多々あった。
【０００６】
また、図１２に示されるように、従来のポケットティシュー１０１は、ミシン目１２２から底面側に向かう位置（図中符号Ｐで示す部分）においてシート積層数が少ないものとなっており、束全体としてもミシン目１２２に沿う部分が脆弱で開封時にティシュペーパー１１０が破れやすくなっている。
【０００７】
さらに、ティシュペーパーは、洟をかむ用途に使用されることが多いが、この際の使用態様は、ティシュペーパーを二つ折りにした状態で、長手方向が左右方向となるようにして鼻に押し当てる態様が一般的であるが、従来のポケットティシュー１０１は、洟をかむ際には、上記ＭＤ方向の折り返し縁１１２Ｂを摘んでフィルム１２０から引きだし、折りを広げて、二つ折りの形態に折り直す必要があった。
【先行技術文献】
【特許文献】
【０００８】
【特許文献１】特許第３６９７６６１号
【特許文献２】特開２００１-５７９４８号公報
【特許文献３】特許第５５２８０４５号
【特許文献４】特開２０１３−１１１３２８号公報
【発明の概要】
【発明が解決しようとする課題】
【０００９】
そこで、本発明の主たる課題は、開封時にティシュペーパーが破れにくく、ティシュペーパーを引き出してすぐに使用しやすいポケットティシュー及びそのポケットティシューを効率よく生産できる製造方法を提供することにある。
【課題を解決するための手段】
【００１０】
上記課題を解決した本発明は以下のとおりである。
【００１１】
〔請求項１記載の発明〕
複数の折り畳まれたティシュペーパーを積み重ねた束が、上面に開封用のミシン目を有するフィルムによって包装されているポケットティシューであって、
前記折り畳まれたティシュペーパーが、方形のティシュペーパーをＭＤ方向に沿う方向が折り返し縁となるようにして二つ折りした後、ＣＤ方向に沿う方向が折り畳み縁となるようにジグザグ折りされ、かつＣＤ方向に沿う縁が折り畳み縁間の中央位置にないものであり、
前記束が、折り畳まれたティシュペーパーをポップアップ式ではなく積み重ねたものであり、
その折り畳まれたティシュペーパーの前記ＣＤ方向に沿う縁が、前記フィルムのミシン目から離れた位置で、ミシン目に沿う方向となるようにして包装されている、ことを特徴とするポケットティシュー。
【００１２】
〔請求項２記載の発明〕
上面側に位置するＣＤ方向に沿う縁と、底面側に位置するＣＤ方向に沿う縁とが、断面位置で一致しており、かつ、ＣＤ方向に沿う折り畳み縁から上面側に位置するＣＤ方向に沿う縁までの折り畳み縁部上にミシン目が位置していない、請求項１記載のポケットティシュー。
【００１３】
〔請求項３記載の発明〕
ティシュペーパーのＭＤ方向の引張強度が１２０ｃＮ／２５ｍｍ以上である請求項１又は２記載のポケットティシュー。
【００１４】
〔請求項４記載の発明〕
ティシュペーパーの幅で連続する連続シートを搬送しつつ、折り板によって、前記連続シートを搬送方向に沿って半分に折り返す折り返し工程と、
半分に折り返された連続シートを、ＣＤ方向に沿って裁断するカット工程と、
一対の折りロールを有する折り畳み装置において、搬送方向の先端側からＣＤ方向に沿う方向が折り畳み縁となるようにジグザグ折りする折り畳み工程と、
カット工程と折り畳み工程とを経て形成した折り畳まれたティシュペーパーをポップアップ式ではなく積み重ねた束を、ミシン目を有するフィルムによって、ＣＤ方向に沿う折り畳み縁が、そのミシン目から離れた位置で、ミシン目に沿う方向となるようにして包装する包装工程と、を有する、ことを特徴とするポケットティシューの製造方法。
【００１５】
〔請求項５記載の発明〕
前記カット工程が、折り畳み工程と同時又はその直後に行なわれ、切り離し縁が、折り畳み縁と重ならない位置で、かつ、折り畳み縁間の中間位置とならない位置で、ジグザグ折りされた部分を連続シートから切り離して、折り畳まれたティシュペーパーとする請求項４記載のポケットティシューの製造方法。
【００１６】
〔請求項６記載の発明〕
ティシュペーパーの幅の複数倍幅以上の原反ロールから幅広の連続するシートを繰り出す繰り出し工程と、
幅広の連続シートをＣＤ方向に所定間隔でスリットして、複数のティシュペーパーの幅の連続シートを形成するスリット工程と、を有し、
スリットされて形成された各々の連続シートをそれぞれ折り板に供給して、ＣＤ方向に半分に折り返された連続シートを複数形成する請求項４又は５記載のポケットティシューの製造方法。
【００１７】
〔請求項７記載の発明〕
連続方向に沿って半分に折り返された複数の連続シートを、同一の折りロールによって折り畳む、請求項６記載のポケットティシューの製造方法。
【００１８】
〔作用効果〕
本発明に係るポケットティシューは、開封用のミシン目に直交する方向が引張強度の強いＭＤ方向となるようにして、折り畳まれたティシュペーパーの束がフィルム内に収納されているため、ミシン目を開封する際にティシュペーパーが破れがたい。
【００１９】
また、ミシン目から底面側に向かう位置のシート積層数が多いため、当該位置における束が脆弱ではなく、さらに開封時にティシュペーパーが破れがたい。
【００２０】
特に、ＣＤ方向に沿う縁が折り畳み縁間の中央位置にないものであり、折り畳まれたティシュペーパーの前記ＣＤ方向に沿う縁が、ミシン目から離れた位置で、ミシン目に沿う方向となるようにして包装されているため、ミシン目から底面側に向かう位置のシート積層数をより多くすることができ、この場合、より開封時にティシュペーパーが破れがたいものとすることができる。また、ミシン目を裂開した際にＣＤ方向に沿う縁を摘みやすくすることもできる。
【００２１】
さらに、上面側に位置するＣＤ方向に沿う縁と、底面側に位置するＣＤ方向に沿う縁とが、断面位置で一致しており、かつ、ＣＤ方向に沿う折り畳み縁から上面側に位置するＣＤ方向に沿う縁までの折り畳み縁部上にミシン目が位置していないものである場合には、ミシン目から底面側に向かう位置のシート積層数が多く、より開封時にティシュペーパーが破れがたいものとなるとともに、ミシン目を裂開した際にＣＤ方向に沿う縁を摘みやすくすもなる。
【００２２】
また、ティシュペーパーの、ＭＤ方向の引張強度が１２０ｃＮ/２５ｍｍ以上であれば、本発明の効果が一層顕著となる。
【００２３】
さらに、本発明に係るポケットティシューは、ミシン目を開封して形成されるスリット状の開口から上記ＣＤ方向の縁近傍を摘んで取り出せる態様となり、そのようにして取り出すとジグザグ折りが広がって、二つ折りのティシュペーパーに展開される。したがって、洟をかむ際等、二つ折りのまま利用する態様において非常に使用しやすいものとなる。  一方、本発明に係るポケットティシューの製造方法は、ティシュペーパーの幅の連続シートを連続方向に沿って半分に折り返した後、これを折りロールによってジグザグ折りし、カットすることとしたため、請求項１に記載の折り畳み構造の折り畳まれたティシュペーパーを連続的に効率よく製造することができる。特に、本発明に係る製造方法では、連続シートを連続方向に沿って半分に折り返すにあたって折り板を用いる。連続シートを連続方向に沿って半分に折り返すには、例えば、一対のロール間に挟み込ませる方法もあるが、このような方法は、各ロール間に連続シートが押されて挟まれるため連続シートの厚みが低下する。したがって、ポケットティシューのようなフィルム内に収められる束を構成するティシュペーパーの枚数が少ないものでは、製品（ポケットティシューとした際）に厚み感（ふっくら感）のないものとなる。そして、厚み感がない場合には、ミシン目開封操作をする際の親指などによるミシン目近傍の押し込みがしがたくなるおそれが生ずる。さらに、一対のロールで二つ折りする場合は、当該ロールの回転速度と連続シートの搬送速度を一致させたり、ロール間を通る際に連続シートの搬送に若干のブレーキが係ることによる張力調整などが必要になるが、折り板ではこのような操作は必要なく、操業性に優れる。
【００２４】
さらに、ティシュペーパーの幅の複数倍幅以上の原反ロールから幅広の連続するシートを繰り出して、これをスリットして形成された各々の連続シートをそれぞれ折り板に供給するようにすれば、生産性がより向上する。このようにする場合には、上記一対のロール間を通して折り返す場合には、各々のロールにおける速度調整や駆動源などが必要になり、より一層複雑、コスト高になるが、折り板では単にその数を増やせばよく、生産性向上の利点がより顕著となる。
【００２５】
また、連続方向に沿って半分に折り返された複数の連続シートを、同一の折りロールによって折り畳めば、複数の折り畳まれたティシュペーパーを同時に製造でき、より生産性が高まるとともに、折り畳み装置が複数必要なくなるので、製造設備も簡素になる。
【００２６】
なお、ＭＤ方向及びＣＤ方向とはティシュペーパー及びその製造時の方向を表す一般的用語で、ＭＤ方向は紙の縦方向、ＣＤ方向は紙の横方向とも言われ、ティシュペーパーを構成するクレープ紙を抄紙機にて抄紙する際の流れ方向基準として、その流れ方向をＭＤ方向、これに直交する方向をＣＤ方向とするものである。本発明におけるＭＤ方向、ＣＤ方向は、この一般的用語の用法にしたがって、個々のティシュペーパーにおけるＭＤ方向、ＣＤ方向と、連続シートを搬送する際のＭＤ方向、ＣＤ方向は、いずれも抄紙機における搬送方向を基準とするものである。なお、ティシュペーパーを構成するクレープ紙は、抄紙の際にブレード等によってヤンキードライヤー等から掻き取る際に形成されるクレープと称される山谷が形成されており、この山谷が連続する方向がＭＤ方向となり、これに直交する方向がＣＤ方向となる。ティシュペーパーではこのクレープの山谷がＭＤ方向に連続するように形成されているためＭＤ方向に伸びやすく、ＣＤ方向に伸びがたいという性質があり、特に伸びやすいＭＤ方向の引張強度がＣＤ方向の引張強度よりも高くなる。また、ポケットティシュー等のティシュペーパーに係る製品を製造する場合には、上記抄紙機において巻き取った原反ロール（ジャンボロールとも称される）から帯状の連続するシートを繰出し、また、適宜巻き取るなどして加工されていくため、帯状の連続シートを搬送する場合には、その搬送方向がＭＤ方向、その搬送方向に直交する方向がＣＤ方向となる。
【発明の効果】
【００２７】
以上のとおり、本発明によれば、開封時にティシュペーパーが破れにくいポケットティシュー及びそのポケットティシューを効率よく生産できる製造方法が提供される。
【図面の簡単な説明】
【００２８】
【図１】本発明に係るポケットティシューの斜視図である。
【図２】本発明に係るティシュペーパーの折り畳みを説明するための斜視図である。
【図３】本発明に係るポケットティシューの断面構造を説明するための図である。
【図４】本発明に係るポケットティシューの製造方法の概略を説明するための斜視図である。
【図５】本発明に係るティシュペーパーの折り畳みを説明するための図である。
【図６】本発明に係るティシュペーパーの他の折り畳みを説明するための図である。
【図７】本発明に係るティシュペーパーの別の折り畳みを説明するための図である。
【図８】本発明に係るポケットティシューの他の断面構造を説明するための図である。
【図９】本発明に係るフィルムによる包装工程を説明するための図である。
【図１０】従来のポケットティシューを説明するための斜視図である。
【図１１】従来のポケットティシューにおけるティシュペーパーの折り畳みを説明するための図である。
【図１２】従来のポケットティシューの断面構造を説明するための図である。
【発明を実施するための形態】
【００２９】
次いで、本発明の実施の形態を図１〜９を参照しながら以下に詳述する。
【００３０】
〔ポケットティシュー〕
本発明のポケットティシュー１は、図１に示すように、折り畳まれたティシュペーパー１０Ａが１０〜２０組程度重ねられてなるティシュペーパーの束１１が、包装用のフィルム２０により個包装されたものであり、略長方形状の上下面及びこれらを繋ぐ長側縁１Ａ及び短側縁１Ｂとからなる偏平立体形状の外形をなしている。その大きさは、概ね短側縁１Ｂの長さＬ１×長側縁１Ａの長さＬ２×厚さが、７５±１０ｍｍ×１２５±１０ｍｍ×１５±５ｍｍである。
【００３１】
フィルム２０による束１１の包装は、フィルム２０で束１１を巻き三つ折りにして包み、その両端面開口部を熱融着処理などしてなる融着部２１により封止した包装構造となっている。フィルム２０には上面のほぼ中央に、長側縁１Ａに沿う方向に開封用のミシン目２２が形成されおり、このミシン目２２を裂開することで形成されるスリット状の取り出し口から内部のティシュペーパー１０（１０Ａ）が取り出し可能となる。
【００３２】
内包される束１１を構成する折り畳まれたティシュペーパー１０Ａは、図２（Ａ）〜（Ｅ）に示されるように、特徴的に、方形のティシュペーパー１０をＭＤ方向に沿う方向が折り返し縁１２となるようにして二つ折りした後、ＣＤ方向に沿う方向が折り畳み縁１３となるようにジグザグ折りされ、かつＣＤ方向に沿う縁１４がＣＤ方向に沿う折り畳み縁１３に重ならない位置とされたものとなっている。したがって、この折り畳まれたティシュペーパー１０Ａは、上面及び底面においてＣＤ方向に沿う折り畳み縁１３の間にＣＤ方向に沿う縁１４が位置するものとなっている。特に、ＣＤ方向に沿う縁が折り畳み縁間の中央位置にないものとなっている。図示の形態では、ＣＤ方向の折り畳み縁１３が４箇所形成される態様でジグザグ折りがなされているが、この形態に限らず、所謂Ｚ折りと称されるＣＤ方向の折り畳み縁１３が２箇所形成される態様であってもよいし、所謂Ｗ折りと称されるＣＤ方向の折り畳み縁１３が３箇所形成される態様であってもよい。ジグザグ折りの回数は、適宜とすることができるが、ポケットティシューの一般的大きさを考慮すれば２〜４程度である。
【００３３】
束１１は、その折り畳まれたティシュペーパー１０Ａが、その各折り畳み縁１３を一致させる態様で積み重ねられて形成され、したがって、ＣＤ方向に沿う折り畳み縁１３が並ぶ長手面と、ＭＤ方向の縁１５又はＭＤ方向に沿う折り返し縁１２が並ぶ短側面とを有するものとなっている。そして、この束１１のフィルム２０での包装態様は、図１、図３に示すように、特徴的に、折り畳まれたティシュペーパー１０Ａの前記ＣＤ方向に沿う縁１４が、ミシン目から離れた位置で、ミシン目に沿う方向となるようにして包装されている。特に、図３に示す形態のように、上面側に位置するＣＤ方向に沿う縁１４と、底面側に位置するＣＤ方向に沿う縁１４とが、断面位置で一致しており、かつ、ＣＤ方向に沿う折り畳み縁１３から上面側に位置するＣＤ方向に沿う縁１４までの折り畳み縁部９上にミシン目が位置していないものであるのが望ましい。このようにするとミシン目を開封して形成されるスリットからＣＤ方向に沿う縁の近傍を摘んでティシュペーパーを取り出しやすくなる。但し、必ずしもこのように形成する必要はない。例えば、図８に示すような形態であってもよい。
【００３４】
このようなポケットティシュー１では、図１及び図３、さらに図８に示すように、ミシン目２２に直交する方向が、引張強度の強いティシュペーパーのＭＤ方向となるようになっており、ミシン目２２を開封する際にティシュペーパー１０が、ミシン目２２の近傍を符号Ａで示すように押し込み、さらに符号Ｂで示すように直交する方向に引っ張られても、ティシュペーパー１０が裂けがたいものとなる。また、特に、断面構造を示す、図３、図８に示されるように、ミシン目２２から底面側に向かう位置（符号Ｐの部分）において、シートの積層数が多く、この位置において束１１が脆弱になっていない。このため、ミシン目２２を開封する際に、より一層ティシュペーパー１０の裂けが防止されている。
【００３５】
また、このポケットティシュー１は、ミシン目２２を開封して形成されるスリット状の開口からティシュペーパー１０Ａを摘んで取り出すと、ジグザグ折りが広がって二つ折りのティシュペーパーに展開される。したがって、洟をかむ際など、二つ折りのまま利用する態様において非常に使用しやすい。
【００３６】
各ティシュペーパー１０（１０Ａ）は、２枚〜３枚のクレープ紙が積層されたプライ構造を有している。そのクレープ紙の原料パルプとしては、ＮＢＫＰとＬＢＫＰとを配合したものであり、適宜古紙パルプが配合されていてもよい。風合いなどの点では、ＮＢＫＰとＬＢＫＰのみから構成されているもののほうが優れる。この場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。また、ティシュペーパー１０は、保湿剤が付与された保湿ティシューであってもよいし、香料が付与された香り付きのティシュペーパーであってもよい。
【００３７】
各プライを構成するクレープ紙１枚あたりの米坪は、９〜２５ｇ／ｍ2、より好ましくは１０〜１５ｇ／ｍ2である。なお、ここでの米坪は、ＪＩＳ Ｐ ８１２４（１９９８）の米坪測定方法による。また、ティシュペーパー１０の紙厚は、複数プライの状態で１００〜１６０μｍ、より好ましくは１２０〜１４０μｍである。なお、ここでの紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定する。紙厚は複数プライの状態で測定する。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この厚みの測定時の荷重は、１２０μｍの際に約７０ｇｆである。なお、厚みは測定を１０回行って得られる平均値とする。
【００３８】
ティシュペーパー１０のＭＤ方向の引張強度は、１２０ｃＮ/２５ｍｍ以上、特に好ましくは１５０ｃＮ/２５ｍｍ以上であるのが望ましい。この引張強度であれば、ミシン目を裂開する際のティシュペーパーの裂けは顕著に防止される。上限値は、限定されないが、ティシュペーパーの特性上３００ｃＮ/２５ｍｍ程度である。
【００３９】
なお、ここでの引張強度は、乾燥時の引張強度であり、ＪＩＳ Ｐ ８１１３（１９９８）の引張試験方法に準じて測定する。その中で試料については、ＣＤ方向に幅２５ｍｍに裁断した試料を用いる。なお、従来のポケットティシューについて、その開封時にティシュペーパーに加わる力を検討した結果、包装用のフィルムがポリプロピレンフィルムである場合の値が、５０ｇｆ程度、ポリエチレンフィルムである場合に５５ｇｆであり、本発明に係る１２０ｃＮ/２５ｍｍ以上の引張強度であれば、十分にティシュペーパーの裂けが防止できる。
【００４０】
なお、束１１を包装するフィルム２０は、特に限定されるものではなく、公知のフィルムを用いることができる。例えば、ポリプロピレンフィルム、ポリエチレンフィルム、ポリスチレンフィルムなどである。また、フィルムは、単層のフィルムのほか、積層フィルムであってもよい。さらに、フィルム内のティシュペーパーが香り付けされたものであったり、保湿剤を付与したものであったりする場合には、ポリエチレンテレフタレートフィルムやポリ塩化ビニリデンフィルムなど、その機能に応じたガスバリア性の高いフィルムや、透湿性の低いフィルムを用いるようにしてもよい。また、フィルム２０に形成される開封用のミシン目２２は、特に限定されるものではなく、カットタイ比等は適宜に設計すればよい。
【００４１】
〔ポケットティシューの製造方法〕
次に、本発明に係るポケットティシューの好適な製造方法例を説明する。このポケットティシューの製造方法によって、上記のポケットティシュー１を製造することができる。  この製造方法は、図４にその概要が示されている。この製造方法は、連続シート３０を搬送方向に沿って半分に折り返す折り返し工程と、連続シート３０をＣＤ方向に沿って裁断するカット工程と、搬送方向の先端側からジグザグ折りする折り畳み工程と、折り畳まれたティシュペーパー１０Ａを積層した束にする積層工程と、ミシン目２２が形成された連続するフィルム２０Ａで束１１を包む包装工程と、束１１を包んだ状態の連続フィルム２０Ａを融着する融着工程と、束を含む位置で連続フィルム２０Ａを切断して個々のポケットティシューとする切断工程とを有している。
【００４２】
連続シート３０は、予めプライ数に応じた数の連続クレープ紙が重ねられた積層連続シートであり、プライ数に応じた枚数の単層の連続クレープ紙が予め積層されているシートを巻き取った原反ロールから繰出したものでもよいし、単層の連続クレープ紙を巻き取った原反ロールから各々単層の連続クレープ紙を繰出したのちこれを搬送過程で重ね合わせたものでもよい。積層されているシートを巻き取った原反ロールは、別途のプライ設備などで製造することができる。図示の形態では、ティシュペーパーの幅の複数倍幅以上の予め積層されたシートを巻き取った原反ロール３から、ティシュペーパーの幅の複数倍幅以上の幅広の連続するシート３Ａを繰り出し、その幅広の連続するシート３ＡをＣＤ方向に所定間隔で配置したスリッター４１によってスリットすることで、複数のティシュペーパーの幅の連続シート３０，３０…を形成するようにしている。但し、本発明は必ずしもこのようにする必要はなく、例えば、ティシュペーパーの幅のシートを巻き取った原反ロールを一つまたはそれ以上用意して、一つ又は複数の連続シートを得るようにしてもよい。
【００４３】
折り返し工程においては、ティシュペーパーの幅で連続する前記連続シート３０を搬送しつつ、折り板５０，５０…によって搬送方向に沿って半分に折り返していく。この折り板５０は、表面平滑な板を折り返してなり、特に連続シート３０の進行方向出口側が偏平状に薄く、進行方向の入り口側が口広となっている。連続シート３０は、搬送される過程でこの折り板５０の入り口側から出口側に向かってその内周面に沿って案内され、連続シート３０のＣＤ方向の半分が巻き込まれつつ折り返されて二つ折りにされる。図示の形態では、折り板５０の直前に連続シート３０のＣＤ方向の半分を支持するガイドロール５１が設けられており、そのガイドロール５１によって支持される連続シート３０の半分に対して、支持されない連続シート３０の半分が巻き込み部分として折り板５０へ案内されやすくなるようにしている。このようにして、折り板５０で二つ折りされた連続シート３０は、折り返し縁１２Ａがロール等で押圧されていないため、ふっくらとした厚み感が低下しない折り態様となる。
【００４４】
カット工程においては、半分に折り返された連続シート３０を、ＣＤ方向に沿って所定間隔で裁断し、連続シート３０を個々のティシュペーパーの大きさにする。このカット工程は、折り畳み工程の前段においてナイフロール等の適宜のカット手段によって行なってもよいし、折り畳み工程と同時に行うこともできる。図示の形態は、折り畳みとほぼ同時に行う例を示している。
【００４５】
折り畳み工程においては、前記折り返し工程で半分に折り返された連続シート３０又はカット工程においてカットしたティシュペーパー１０の大きさで二つ折りにされたシート（以下、カットシートともいう）を一対の折りロール６０，６０を有する折り畳み装置６に供給していく。前記折りロール６０，６０は、フォールディングロールとも称されるもので、この折りロール６０，６０を有する折り畳み装置は、ロータリー式の折り畳み装置とも称されるものの一種である。この折り畳み装置６では、一対の各折りロール６０，６０が軸方向同一にして周面が近接するようにして配置されており、各折りロール６０，６０間を連続シート３０（又はカットシート）が通る過程で、各折りロール６０，６０の周面移動方向に間隔を空けて設けられたピック位置で、連続シート３０（又はカットシート）が搬送方向の所定間隔で交互にピックされることで連続シート３０（又はカットシート）がジグザグに折り返される。
【００４６】
より具体的には、特に図５〜７に示すように（図は連続シート３０を供給する態様で示す）、折り畳み装置６を構成する各折りロール６０，６０には、軸方向に沿って延在する断面略Ｖ時形の突部６１と、その突部６１が嵌る深さ凹溝６２とが、周面移動方向に所定間隔で配されており、一方の折りロール６０の突部６１と他方の折りロール６０の凹溝６２とが、回転にともなって近接位置近傍で嵌り、また、その後、その嵌りが解除されるようになっている。また各凹溝６２にはバキューム機能が付与されており、連続シート３０（又はカットシート）はこのバキューム機能による吸引の有無によって凹溝６２に対してピックとその開放が選択される。したがって、一対の折りロール６０、６０の間を連続シート（又はカットシート）が通る際には、一方の折りロール６０の凹溝６２に吸引によってピックされた部分に、他方の折りロールの突部６１が嵌ることで連続シート３０（又はカットシート）が凹溝６２に押し込まれ、その凹溝６２が他方の折りロールから適当距離離間した位置で当該凹溝６２の吸引が解除される連続シート３０(又はカットシート)にＭＤ方向に沿う折りがなされる。そして、このピックが一対の折りロール６０，６０で交互に行なわれることで、連続シート３０(又はカットシート)がジグザグ折りされる。
【００４７】
また、特に図示例は、連続シート３０の裁断を折り畳みとほぼ同時に行う例であり、各折りロール６０，６０に、その周面移動方向に１又は所定間隔で複数のカッター刃等のカット部６３が形成されており、互いの折りロール６０，６０のカット部が最近接位置において機能して、連続シート３０を裁断するようになっている。この裁断によって連続シートがカットされて個々のティシュペーパーの大きさとなるとともに、ＣＤ方向に沿う縁１４が形成される。つまり、カット工程と折り畳み工程とが同時に行なわれ、ジグザグ折りされた部分が、その折り畳み縁１３と切り離し縁１４とが重ならない位置で連続シート３０から切り離されて、折り畳まれたティシュペーパー１０Ａとなるようになっている。
【００４８】
また、図示のこの製造方法例では、上記カット部６３，６３の間に位置する突部６１及び凹溝６２の数によってジグザグ折りの回数が定まる。つまり、図６に示すように、カット部６３の間に突部６１と凹溝６２が合わせて４箇所ある折りロール６０を用いた場合には、ＣＤ方向の折り畳み縁１３が４箇所あるジグザグ折りとなり、図７に示すように、カット部６３の間に突部６１と凹溝６２が合わせて３箇所ある折りロールを６０用いた場合には、ＣＤ方向の折り畳み縁１３が３箇所ある所謂Ｗ折りと称されるジグザグ折りとなり、また、図８に示すように、カット部６３の間に突部６１と凹溝６２とが合わせて２箇所ある折りロール６０を用いた場合には、ＣＤ方向の折り畳み縁１３が２箇所ある所謂Ｚ折りと称されるジグザグ折りとなる。また、カット部６３に最も近い突部６１又は凹溝６２までの距離に応じて、ＣＤ方向の折り畳み縁１３に対するＣＤ方向の縁１４との距離が定まる。したがって、カット部を最も近い突部６１及び凹溝６２の中間位置としなければ、ＣＤ方向に沿う縁が折り畳み縁間の中央位置にないものとなる。
【００４９】
また、図示の形態では、特に、図４に示すように、幅広の原反ロール３から繰出した連続するシートをスリット工程においてスリットして形成した複数のティシュペーパーの幅の連続シート３０，３０…を、各々折り板５０，５０…で折り返して形成した、複数の連続する二つ折りの連続シートを一対の折りロール６０，６０間に供給するようにして、複数の連続する二つ折りの連続シート３０，３０…を同時に折り畳むようにしている。このようにすることで、折り畳まれたティシュペーパー１０Ａ、さらにはそれを積み重ねた束１１を同時に複数製造するようにしている。このようにすると極めて生産性が高まる。
【００５０】
積層工程では、折り畳み工程で折り畳まれたティシュペーパー１０Ａを、所定数積層して束にする。上記の折り畳み装置６では、折り畳まれたティシュペーパー１０Ａが順次積み重ねられていくため、上記の折り畳み装置６では、所定枚数が積層された後にこれを取り出せばよい。もちろん、別途に一枚ずつ積み重ねを行ってもよい。
【００５１】
包装工程は、特に図９（Ａ）〜（Ｄ）に示すように、上記の折り畳み工程及び積層工程で製造された束１１を、前記折り畳み装置６によって形成されたＣＤ方向に沿う折り畳み縁１３が、搬送方向に沿う方向となるようにして搬送する。そして、その搬送過程で、連続方向に沿ってミシン目２２が形成された連続するフィルム２０Ａを、そのミシン目２２が束１１の束１１の搬送方向に直交する幅方向の中央に位置で沿うようにして重ね、その状態でフィルム２０Ａを巻き三折りして束１１を包む。連続するフィルム２０Ａ対するミシン目２２の形成は、フィルム原反ロール２から繰出した連続するフィルム２０Ａにミシン刃を当てたり、適宜間欠的に超音波を当てたりすることによって行うことができる。ミシン目２２の形成は適宜の方法及び位置で行えばよい。
【００５２】
融着工程においては、上記包装工程おいて束１１を包んだ状態とした連続フィルム２０Ａを融着する。融着の位置は、束１１の進行方向前後端部近傍であり、この融着処理によって、前後融着部２１，２１の間に束１１が位置して包装された状態となる。
【００５３】
そして、切断工程においては、この融着処理の後、又は融着処理と同時に、融着処理によって形成された各々の融着部２１が進行方向前後に分断されるように切断する。
【００５４】
かくして、上記〔ポケットティシューの欄〕で説明した個々のポケットティシュー１が製造される。なお、図５に示す折り畳み装置６で製造されるポケットティシュー１の断面は、図３のようになり、図６に示す折り畳み装置６で製造されるポケットティシュー１の断面は、図８（Ａ）のようになり、図７示す折り畳み装置６で製造されるポケットティシュー１の断面は、図８（Ｂ）のようになり、いずれにおいても、ミシン目２２に直交する方向がティシュペーパー１０のＭＤ方向となり、また、ミシン目２２から底面に向かう位置でシートの積層数が多く、開封時にティシュペーパー１０が裂けがたいものとなる。また、折り板による折りによってふっくら感のある厚みのあるものとなる。
【符号の説明】
【００５５】
１，１０１…ポケットティシュー、１Ａ…ポケットティシューの長側縁、１Ｂ…ポケットティシューの短側縁、Ｌ１…短側縁の長さ、Ｌ２…長側縁の長さ、９…ＣＤ方向に沿う折り畳み縁から上面側に位置するＣＤ方向に沿う縁までの折り畳み縁部、１０，１１０…ティシュペーパー、１０Ａ，１１０Ａ…折り畳まれたティシュペーパー、１１，１１１…束、１２，１２Ａ…ＭＤ方向に沿う折り返し縁、１３…ＣＤ方向に沿う折り畳み縁、１４…ＣＤ方向に沿う縁、１５…ＭＤ方向に沿う縁、１１２Ａ，１１２Ｂ…ＭＤ方向に沿う折り返し縁、１１２…折り返し縁部、１１３…ＣＤ方向に沿う折畳み縁、２０，１２０…フィルム、２１…融着部、２２，１２２…ミシン目、３０…連続シート、３…原反ロール、３Ａ…幅広の連続するシート、２０Ａ…連続フィルム、２…フィルム原反ロール、４１…スリッター、５０…折り板、５１…ガイドロール、６０…折りロール、６…折畳み装置、６１…突部、６２…凹溝、６３…カット部、Ｘ…ミシン目を開封する際に押し引く部分。
【図１】
0006601865.tif 000002
【図２】
0006601865.tif 000003
【図３】
0006601865.tif 000004
【図４】
0006601865.tif 000005
【図５】
0006601865.tif 000006
【図６】
0006601865.tif 000007
【図７】
0006601865.tif 000008
【図８】
0006601865.tif 000009
【図９】
0006601865.tif 000010
【図１０】
0006601865.tif 000011
【図１１】
0006601865.tif 000012
【図１２】
0006601865.tif 000013